(57)【要約】【課題】タンク内の貯水の放電電極への安定供給が確保された静電霧化装置を提供する。【解決手段】タンク２内の貯水Ｗが供給される放電電極３に高電圧を印加して放電させることで、放電電極３が保持している水に電圧を印加して静電霧化現象によって霧化させてナノメータサイズの帯電微粒子水（ナノサイズミスト）を生成させる静電霧化装置１である。タンク２内の貯水Ｗを放電電極３に供給させる水供給手段を、タンク２内の空気Ａを加熱して膨張させることで高められたタンク２の内圧によってタンク２内の貯水Ｗを放電電極３に至らしめるようにして構成する。【選択図】図１
2008012484.tif 000002
【特許請求の範囲】
【請求項１】
タンク内の貯水が供給される放電電極に高電圧を印加して放電させることで、放電電極が保持している水に電圧を印加して静電霧化現象によって霧化させてナノメータサイズの帯電微粒子水を生成させる静電霧化装置であって、タンク内の貯水を放電電極に供給させる水供給手段を、タンク内の空気を加熱して膨張させることで高められたタンクの内圧によってタンク内の貯水を放電電極に至らしめるようにして成ることを特徴とする静電霧化装置。
【請求項２】
上記タンクに、タンク内に負圧が生じた際に外気をタンク内に通す空気透過膜を設けたことを特徴とする請求項１記載の静電霧化装置。
【請求項３】
上記水供給手段にタンク内の空気の過熱を防止する過熱防止手段を備えたことを特徴とする請求項１または２記載の静電霧化装置。
【請求項４】
上記タンクにその内圧が所定以上に高まることを防止する圧力逃し弁を設けたことを特徴とする請求項１乃至３のいずれか一項に記載の静電霧化装置。
【請求項５】
上記水供給手段に、タンク内の空気を専用に加熱するタンク用加熱部を備えると共に、このタンク用加熱部により加熱したタンク内の空気の温度を調整する温度調整手段を備えたことを特徴とする請求項１乃至４のいずれか一項に記載の静電霧化装置。
【請求項６】
上記タンクに水を補給したときにタンク内に一定量の水と空気が溜まるようになる貯留手段を備えたことを特徴とする請求項１乃至５のいずれか一項に記載の静電霧化装置。
【発明の詳細な説明】
【技術分野】
【０００１】
本発明は、静電霧化現象によりナノメータサイズの帯電微粒子水を発生させる静電霧化装置に関するものである。
【背景技術】
【０００２】
従来から、水が供給される放電電極に高電圧を印加して放電させることで、放電電極が保持している水に電圧を印加して静電霧化現象によって霧化させてナノメータサイズの帯電微粒子水（ナノサイズミスト）を生成させる静電霧化装置は、上記生成した帯電微粒子水が強酸性の微小な粒子であり、たとえばこれを髪に当てればツヤやコシを与えることができる。また上記帯電微粒子水は消臭効果等の他の効果も有する。したがって、上記静電霧化装置は、ヘアドライヤーやヘアーセッター等の理容機器や、空気清浄機など、多様な機器に搭載することで様々な効果を得ることができる（たとえば特許文献１，２参照）。
【０００３】
ところで、静電霧化装置の放電電極に水を供給する方法として、たとえばタンク内の貯水を毛細管現象を生じさせる細管等の供給管にて放電電極に送る方式があるが、この方式では、タンクよりも上方位置に放電電極が位置すると、重力の影響から放電電極に水が良好に供給されないという問題があった。
【特許文献１】特開２００６−８７８３６号公報
【特許文献２】特開２００３−１５９１１４号公報
【発明の開示】
【発明が解決しようとする課題】
【０００４】
本発明は上記の従来の問題点に鑑みて為したものであって、タンク内の貯水の放電電極への安定供給が確保された静電霧化装置を提供することを課題とするものである。
【課題を解決するための手段】
【０００５】
上記課題を解決するために本発明の請求項１に係る静電霧化装置は、タンク２内の貯水Ｗが供給される放電電極３に高電圧を印加して放電させることで、放電電極３が保持している水に電圧を印加して静電霧化現象によって霧化させてナノメータサイズの帯電微粒子水を生成させる静電霧化装置１であって、タンク２内の貯水Ｗを放電電極３に供給させる水供給手段を、タンク２内の空気Ａを加熱して膨張させることで高められたタンク２の内圧によってタンク２内の貯水Ｗを放電電極３に至らしめるようにして成ることを特徴とする。これによると、水供給手段によってタンク２内の貯水Ｗを強制的に放電電極３に供給することができてタンク２内の貯水Ｗの放電電極３への安定供給を可能にし、静電霧化装置１の良好な作動を確保できる。
【０００６】
また、請求項２に係る静電霧化装置は、請求項１において、上記タンク２に、タンク２内に負圧が生じた際に外気をタンク２内に通す空気透過膜２６を設けたことを特徴とする。静電霧化装置１の使用後など、空気Ａの加熱が止まって空気Ａが収縮するとタンク２内が大気圧以下の負圧の状態になるが、この負圧によって空気透過膜２６を通って外気がタンク２内に導入されるのであり、それに伴いタンク２内の負圧状態が緩和されるのであり、つまり負圧によるタンク２の損傷防止を図ることができる。
【０００７】
また、請求項３に係る静電霧化装置は、請求項１または２において、上記水供給手段にタンク２内の空気Ａの過熱を防止する過熱防止手段を備えたことを特徴とする。これによると、過熱防止手段によってタンク２内の空気Ａの過熱（空気Ａの温度が異常な高温になること）が防止され、異常に昇温したタンク２内の空気Ａの過剰な膨張を回避し、タンク２内の貯水Ｗの放電電極３への安定供給、タンク２の損傷防止を図ることができる。
【０００８】
また、請求項４に係る静電霧化装置は、請求項１乃至３記載のいずれか一項において、上記タンク２にその内圧が所定以上に高まることを防止する圧力逃し弁３３を設けたことを特徴とする。これによると、圧力逃し弁３３によってタンク２の過剰な内圧の高まりを防止できて、タンク２内の貯水Ｗの放電電極３への安定供給、タンク２の損傷防止を図ることができる。
【０００９】
また、請求項５に係る静電霧化装置は、請求項１乃至４記載のいずれか一項において、上記水供給手段に、タンク２内の空気Ａを専用に加熱するタンク用加熱部３４を備えると共に、このタンク用加熱部３４により加熱したタンク２内の空気Ａの温度を調整する温度調整手段を備えたことを特徴とする。水供給手段として、静電霧化装置１を搭載する各種の機器に元々備わる発熱部でタンク２内の空気Ａを加熱することも考えられるが、これに比べて、上記のように水供給手段にタンク２内の空気Ａを専用に加熱するタンク用加熱部３４を備えることによると、タンク２内の空気Ａを効率よく加熱することができ、しかもタンク用加熱部３４により加熱したタンク２内の空気Ａの温度を調整する温度調整手段を備えたので、タンク２内の空気Ａの温度、ひいてはタンク２内の空気Ａの内圧を適宜調整でき、したがって、タンク２内の貯水Ｗの放電電極３への安定供給を効果的に図ることができる。更に言うと、水供給手段にタンク用加熱部３４を備えたものは、タンク２内の空気Ａを加熱できる発熱部が存在しない各種の機器にも、タンク２内の貯水Ｗの放電電極３への安定供給を可能とする静電霧化装置１を搭載することができる利点も有する。
【００１０】
また、請求項６に係る静電霧化装置は、請求項１乃至５記載のいずれか一項において、上記タンク２に水を補給したときにタンク２内に一定量の水と空気Ａが溜まるようになる貯留手段を備えたことを特徴とする。これによると、貯留手段によってタンク２への水補給時にタンク２内に一定量の空気Ａを残すようにでき、水供給手段の正常動作を確保してタンク２内の貯水Ｗの放電電極３への安定供給を確保できる。
【発明の効果】
【００１１】
本発明は、水供給手段によってタンク内の貯水を強制的に放電電極に供給することで、タンク内の貯水の放電電極への安定供給を可能にする、といった利点を有する。
【発明を実施するための最良の形態】
【００１２】
以下、本発明を添付図面に示す実施形態に基いて説明する。
【００１３】
図１乃至図９に本発明の実施の形態を示す。この例は静電霧化装置１を搭載したヘアーセッター１０である。ヘアーセッター１０は、図１乃至６に示すように、長手方向の一端部（基端部）に使用者の手が把持する把持部１１を有し、長手方向の他端部（先端部）に使用者の毛髪を加熱して整髪する整髪部１２を有している。ヘアーセッター１０のハウジングは、上記先端部の整髪部１２でヘアーセッター１０の長手方向と直交する方向から導入された毛髪を挟持できるよう、把持部１１で枢支されて整髪部１２が接離自在にされた２つのブロック（主体ブロック１３、押えブロック１４）で構成されている。詳しくは、整髪部１２における主体ブロック１３及び押えブロック１４の対向する各挟持面１３ａ，１４ａにはヒータを備えた平板状の加熱板１５がそれぞれ配置されている。また主体ブロック１３には静電霧化装置１が内装されていると共に、上記加熱板１５のヒータや静電霧化装置１の作動を操作する操作スイッチ１６が設けられている。詳しくは、把持部１１を持つ手の邪魔にならないよう静電霧化装置１は主体ブロック１３における把持部１１と整髪部１２との間に配設され、操作スイッチ１６は把持部１１を持つ手によって良好に操作できるよう把持部１１に配設されている。
【００１４】
ここで、静電霧化装置１は、図１のように、供給される水に電圧を印加する針状の放電電極３と、放電電極３に対向して位置するリング状の対向電極４と、放電電極３と対向電極４との間に高電圧を印加する高電圧印加部５と、水を貯水Ｗするタンク２と、タンク２内の貯水Ｗを放電電極３に供給する供給管６とを具備して構成される。なお、本例では、上記放電電極３、対向電極４、高電圧印加部５は感電防止を期してカバー体７により一体にされて霧化ユニット８を形成しており、平面視で主体ブロック１３の長手方向の軸線上に配置された１つのタンク２と、上記軸線を境に左右に等間隔に配置された２つの霧化ユニット８とで静電霧化装置１が形成されている。なお、上記左右方向は、互いに合わせた状態の挟持面１３ａ，１４ａ内でヘアーセッター１０の長手方向に直交する方向を言うものとする。
【００１５】
この静電霧化装置１によるナノメータサイズの帯電微粒子ミストの発生（静電霧化現象）のメカニズムは、放電電極３と対向電極４の間に印加された電圧により放電電極３の先端部に供給された水が帯電し、帯電した液体にクーロン力が働き、放電電極３の先端に供給された水の液面が局所的に先端が尖った錐状に盛り上がる（テイラーコーン）。このテイラーコーンの先端部に電荷が集中して高密度化され、高密度化された電荷の反発力による液体の分裂・飛散（レイリー分裂）を繰り返して静電霧化を行い、ラジカルを有するナノメータサイズの帯電微粒子ミスト（マイナスイオンミスト）を生成させるようになっている。
【００１６】
主体ブロック１３に内装した霧化ユニット８における放電電極３の先端方向には主体ブロック１３に設けた放出口１７が配設されている。この放出口１７は整髪部１２の側方周辺部でヘアーセッター１０の略長手方向に向くように(詳しくは、先端ほどヘアーセッター１０の軸線から離れていく方向で且つやや押えブロック１４側に傾いた方向に)開口しており、整髪部１２で挟持した毛髪に対して放出口１７からその開口方向に飛散した帯電微粒子ミストを効率よく当てて付着できるようにされている。
【００１７】
タンク２は、図８に示すように、扁平な矩形状のタンクケース２０を有し、タンクケース２０の内部に一端を挿入した差込管部２１の他端の水供給口２２をタンクケース２０の一端部に突出させて構成される。なお、タンクケース２０は一対の半割りケース２０ａ，２０ｂを合わせて接合して成り、また差込管部２１は多数の通水孔２３が穿設され、差込管部２１の内部には吸水可能なフェルト（図示せず）が配設され、差込管部２１の一端はタンクケース２０に設けた水補給口２４からタンクケース２０内に挿入されると共にタンクケース２０にバヨネット構造により着脱自在にされている。つまり、タンク２に水を補給する際には、タンクケース２０から差込管部２１を外したことで現れる水補給口２４を上方に向けて、この水補給口２４に外部から水を流し込むことで行われる（図１７（ｄ）参照）。便宜上、タンク２を後述のタンク収納部１８に収納した際にタンク収納部１８の底面１８ａに対向するタンク２の面を底面２ａと称し、この底面２ａと反対側の面を天面２ｂと称するが、タンク２の底面２ａにはタンク２の内外を連通する通気筒部２５が天面２ｂ側に引き込むように形成されている。この通気筒部２５の突出端（タンク２の天面２ｂ側の端部）には通水不能な空気透過膜２６が被着されて通気筒部２５を閉塞している。
【００１８】
このタンク２は、図４のように主体ブロック１３に設けたタンク収納部１８に着脱自在に収納される。タンク収納部１８は主体ブロック１３の挟持面１３ａ，１４ａと反対側の外面部に凹所状に形成され、このタンク収納部１８は蓋１９によって開閉可能にされている。なお蓋１９は、裏面側に設けた係止部１９ａをタンク収納部１８の内部に設けた被係止部１８ｂに係止させることで、タンク収納部１８に被着される。タンク収納部１８の底面１８ａには、タンク収納部１８内にタンク２を収納した際に、タンク２の左右の側面に設けた係止突起２７が係止される一対の係止フック１８ｃが設けられている。また、タンク収納部１８の底面１８ａには、タンク収納部１８内にタンク２を収納した際にタンク２の水供給口２２が接続して取り付けられるタンク接続部９が設けられている。このタンク接続部９には各霧化ユニット８の放電電極３に一端が接続された供給管６の他端がそれぞれ接続されている。なお供給管６はたとえば樹脂製のキャピラリ（毛細管現象を生じさせ得る細管）で構成されている。
【００１９】
上記ヘアーセッター１０は、図７（ａ）のように整髪部１２における挟持面１３ａ，１４ａが略鉛直面内にあるような（ハウジングの左右方向が略上下方向を向くような）姿勢で使用されることが多く、このときには少なくとも霧化ユニット８の１つがタンク２よりも上方位置に位置することとなり、タンク２内の貯水Ｗを毛細管現象にて供給管６を介して放電電極３に送るといった従来技術が採用されたものであれば、重力の影響から放電電極３に水が良好に供給されないこととなるのであるが、本例では、タンク２内の貯水Ｗを強制的に放電電極３に供給してタンク２内の貯水Ｗの放電電極３への安定供給を可能にする水供給手段が採用されており、以下に詳述する。
【００２０】
すなわち、水供給手段は、タンク２内の空気Ａを加熱して膨張させることで高められたタンク２の内圧によってタンク２内の貯水Ｗを供給管６を介して放電電極３に至らしめる手段である。本例では、タンク２内の空気Ａを加熱する加熱手段として、ヘアーセッター１０に元々設けられた発熱部である加熱板１５のヒータを用いており、部材を兼用して構成の簡略化が図られている。なお、この水供給手段の動作はタンク２内の空気Ａが必要となるが、タンク２には水を補給したときにタンク２内に一定量の水と空気Ａが溜まるようになる貯留手段が備えられていて、タンク２内に空気Ａを確保して水供給手段の動作不良を回避している。本例の貯留手段は、タンクケース２０をたとえば透明または半透明の材料で形成して内部の貯水Ｗの水面線を外から目視で確認可能にし、タンクケース２０の外面に適量の貯水Ｗの水面線の位置を示す水補給用の記し（図示せず）を付けることで構成されており、つまり、使用者がタンク２の補給時に目視によって水補給用の記しに合わせるべく水を補給することで、タンク２内に一定量の水と空気Ａが溜まるようになっている。
【００２１】
このように、タンク２内の空気Ａを加熱して膨張させることで高められたタンク２の内圧によってタンク２内の貯水Ｗを供給管６を介して放電電極３に至らしめる水供給手段を採用したことで、たとえ静電霧化装置１を搭載したヘアーセッター１０の使用姿勢によってタンク２よりも上方に霧化ユニット８が位置するようになっても、タンク２内の貯水Ｗを強制的に放電電極３に供給してタンク２内の貯水Ｗの放電電極３への安定供給が可能であり、静電霧化装置１、ひいてはこれを搭載したヘアーセッター１０の良好な作動が確保できるようにされている。
【００２２】
ここで、タンク２内の空気Ａが加熱され膨張した後に、静電霧化装置１が操作スイッチ１６によりその作動が停止される（つまりヘアーセッター１０の使用が終わる）と、図９の点線グラフのように、空気Ａの加熱が止まって空気Ａが収縮してきてタンク２内が大気圧以下の負圧の状態になる。このタンク２内が負圧の状態で、空気透過膜２６がタンク２内の貯水Ｗに覆われていない場合には、空気透過膜２６を通って外気がタンク２内に導入されるのであり、それに伴いタンク２内の負圧状態が図９の実線グラフのように緩和されることとなり、これにより負圧によるタンク２の損傷防止が図られている。通常、使用後のヘアーセッター１０は、図７（ｂ）のように主体ブロック１３が押えブロック１４の上方に重なった状態で押えブロック１４を洗面化粧台４０上に載置されるといった状態が想定されるのであり、この場合にはタンク２は底面２ａが下方に天面２ｂが上方に位置する姿勢となるから、通気筒部２５の突出端に設けた空気透過膜２６は空気Ａが溜まるタンク２内の上方域に位置するようになり、空気透過膜２６はタンク２内の空気Ａに接し続けることが想定され、外気がタンク２内に引き込まれ易くされている。
【００２３】
なお、タンク２内の空気Ａが加熱されて膨張して内圧が外気圧以上に高まると、タンク２内の空気Ａの一部が空気透過膜２６を通って外方へ逃げることはあるが、空気透過膜２６を通過する際には一定の浸透圧が必要であって空気透過膜２６は通気孔を通過する際のいわゆる通気抵抗となり、また静電霧化装置１の使用時（つまりヘアーセッター１０の使用時）にはヘアーセッター１０、ひいてはタンク２の姿勢もめまぐるしく変化し、空気透過膜２６がタンク２内の空気Ａに接し続けることは無い（タンク２内の貯水Ｗに覆われる状態も頻繁にある）ので、内圧が高められた状態では空気透過膜２６に空気Ａが通気することによってもタンク２内の内圧が極端に低下させられることはない。
【００２４】
以下、実施の形態の他例を列挙する。これらにおいて、先例と同様の部分については同符号を付して説明を省き、異なる部分について説明をしていく。
【００２５】
図１０の実施の形態の他例は先例に比べて空気透過膜２６の配置を違えたものである。使用後のヘアーセッター１０は、通常、図７（ｂ）のようにタンク２の底面２ａが下方に天面２ｂが上方に位置するような姿勢で洗面化粧台４０上に載置されることが想定されるが、図７（ｃ）のように主体ブロック１３及び押えブロック１４の側面を下方にして洗面化粧台４０上に載置されることもあり得る。そして後者の場合には、タンク２は天面２ｂや底面２ａが鉛直面に近い傾斜状となるような姿勢（天面２ｂや底面２ａの左右方向が上下方向に近い向きとなる姿勢）となり、先例のタンク２の場合には図１０（ｃ）のようにタンク２内の貯水Ｗがタンク２の天面２ｂの左右中央部分に配置される空気透過膜２６を覆ってしまい、空気透過膜２６から外気が導入されなくてタンク２内の負圧状態を緩和させることができない状態もあり得る。図１０の例では、この後者のような状態（図７（ｃ））でも、空気透過膜２６の少なくとも一部をタンク２内の空気Ａ層に位置させて空気透過膜２６からタンク２内に外気を導入してタンク２内の負圧状態を緩和させることを可能にするように、空気透過膜２６の配置に工夫がなされているのである。
【００２６】
詳しくは、図１０（ａ）の例では、空気透過膜２６を備えた通気筒部２５をタンク２の左右方向の両端部にそれぞれ形成している。なお、この例では、空気透過膜２６を備えた通気筒部２５を２つタンク２の左右方向の両端部にそれぞれ位置させるように並設しているが、その個数は２つに限らず複数でもよい。また、図１０（ｂ）の例では、左右方向に長い長孔断面を有するように通気筒部２５を形成すると共に、この通気筒部２５に空気透過膜２６を被着して閉塞している。いずれの例でも空気透過膜２６はタンク２の左右方向の両端部（少なくとも左右中央部分から左右方向に偏った部分）に配置されているのであり、上記後者のような状態（図７（ｃ））でも、空気透過膜２６の少なくとも一部にはタンク２内の貯水Ｗで覆われない部分（すなわち空気Ａが通過可能な部位）を残すようにでき、空気透過膜２６からタンク２内に外気を導入してタンク２内の負圧状態を緩和させることが可能にされているのである。
【００２７】
図１１乃至図１３の実施の形態の他例は、水供給手段にタンク２内の空気Ａの過熱を防止する過熱防止手段を備えた例である。図１１の例の過熱防止手段は主体ブロック１３のタンク２を収納したタンク収納部１８とタンク２内の空気Ａを加熱することとなる発熱部の加熱板１５のヒータとの間に断熱材３０を配設することで構成されている。図１２の例の過熱防止手段はタンク２の底面２ａに凹凸形状を施したことで構成されている。詳しくは、本例では左右に長い凸条リブ３１を左右方向に直交する方向に等間隔に並設している。これによると、発熱部からの熱を受けるタンク収納部１８の底面１８ａへのタンク２の接触面積を変更することができ、タンク２への伝導する熱量を調整することができる。また、図１３の例の過熱防止手段はタンク２のタンクケース２０の天面２ｂに放熱フィン３２を設けて構成されている。いずれの過熱防止手段も加熱されるタンク２内の空気Ａの温度を極端に高い温度にならないように調整できるものであり、異常に昇温したタンク２内の空気Ａの過剰な膨張によりタンク２が破損する恐れを回避できるのである。静電霧化装置１を搭載する機器に元々備わる（静電霧化装置１のタンク２内の空気Ａを加熱する目的のために設けられたものでない）発熱部によって、静電霧化装置１のタンク２内の空気Ａを加熱するようにしたものは発熱部がタンク２内の空気Ａを加熱するに適さないほどの高出力である場合があり、このような場合に特に過熱防止手段は有効である。
【００２８】
図１４及び図１５の実施の形態の他例は、タンク２にその内圧が所定以上に高まることを防止する圧力逃し弁３３を設けた例である。本例の圧力逃し弁３３は空気Ａ層が形成され易いタンク２の天面２ｂ部分に設けられている。これによると、図１５のグラフに示すように、タンク２に圧力逃し弁３３が存在しない場合ではタンク２内の空気Ａが加熱されるとタンク２内圧が過剰に高まることがあるが(点線グラフ参照）、タンク２に圧力逃し弁３３が存在する場合ではタンク２内の空気Ａが加熱されてタンク２内圧が所定の圧力下になったときに圧力逃し弁３３が開いてタンク２内圧を所定の圧力状態に維持することができるのである（実線グラフ参照）。このように、圧力逃し弁３３によってタンク２の過剰な内圧の高まりを防止できるから、タンク２内の貯水Ｗの放電電極３への安定供給、タンク２の損傷防止を図ることができる。
【００２９】
図１６の実施の形態の他例は、水供給手段に、タンク２内の空気Ａを専用に加熱するタンク用加熱部３４を備えると共に、このタンク用加熱部３４により加熱したタンク２内の空気Ａの温度を調整する温度調整手段を備えた例である。本例では、板状ヒータによりタンク用加熱部３４を構成すると共にこのタンク用加熱部３４はタンク２の底面２ａに付設してあり、つまり、タンク用加熱部３４がタンク２に内臓されたものとなっているが、タンク用加熱部３４はこれに限らずタンク２と別体に、たとえばタンク収納部１８の底面１８ａに付設してもよい。温度調整手段としては、たとえば、タンク用加熱部３４やタンク２内の温度を測る温度センサを備え、この温度センサの検出値によってタンク用加熱部３４の出力制御を行わせることができる。水供給手段として、静電霧化装置１を搭載する各種の機器に元々備わる発熱部でタンク２内の空気Ａを加熱することも考えられるが、これに比べて、上記のように水供給手段にタンク２内の空気Ａを専用に加熱するタンク用加熱部３４を備えることによると、タンク２内の空気Ａを効率よく加熱することができ、しかもタンク用加熱部３４により加熱したタンク２内の空気Ａの温度を調整する温度調整手段を備えたので、タンク２内の空気Ａの温度、ひいてはタンク２内の空気Ａの膨張による内圧を適宜調整できるのであり、つまり、タンク２内の空気Ａの温度管理、内圧管理が安定してできるのである。したがって、タンク２内の貯水Ｗの放電電極３への安定供給を効果的に図ることができるのである。更に言うと、水供給手段にタンク用加熱部３４を備えたものは、タンク２内の空気Ａを加熱できる発熱部が存在しない各種の機器にも、タンク２内の貯水Ｗの放電電極３への安定供給を可能とする静電霧化装置１を搭載することができる、という利点も有する。
【００３０】
図１７の実施の形態の他例は上述した貯留手段の他例である。本例の貯留手段は、水補給口２４を設けた側であるタンクケース２０の一側端部に、側外方に突出する空所状の空気溜まり部３５を形成して構成されている。本例の場合、空気溜まり部３５は水補給口２４の左右両側に隣接して一対設けられている。図１７（ｄ）のように、タンクケース２０から差込管部２１を外したことで現れる水補給口２４を上方に向けてこの水補給口２４に外部から水を流し込むことで水の補給を行ったときには、空気溜まり部３５はタンクケース２０の上面となる側壁から上方に突出する閉空間状になるので、タンクケース２０内に補給された水が至らずに空気Ａが残留するのであり、つまり、自動的にタンク２への水補給時にタンク２内に一定量の空気Ａを残すようにできるのである。先例の貯留手段はタンク２の外面に水補給用の記しを付して構成されていて、この水補給用の記しに目視でタンク２内に補給した水の水面線を合わせるように水の補給を行わねばならない煩雑さがあったが、本例の貯留手段ではタンク２内に水を補給したときには自動的に一定量の空気Ａをタンク２内に残すことができるから、タンク２への水の補給を良好な作業性でもって行うことができる、という利点を有するのである。
【００３１】
上記実施形態においては、対向電極４を備えた静電霧化装置１について述べているが、対向電極４は必ずしも必要ではなく、接地電位に対して高電圧を放電電極３に印加しさえすれば静電霧化が行われるものであり、対向電極４の存在しない静電霧化装置１を採用することも好ましい。また、上記実施形態においては、静電霧化装置１を搭載した機器としてヘアーセッター１０を例示したが、上記機器はこれに限られずヘアードライヤー等の理容機器や空調機器でもよく、特に、ヘアーセッター１０と同様にその使用形態においてタンク２より上方位置に霧化電極が位置してしまう状態があり得るヘアードライヤー等の理容機器に、上記実施形態の静電霧化装置１を採用すれば、タンク２内の貯水Ｗを強制的に放電電極３に供給することで、タンク２内の貯水Ｗの放電電極３への安定供給を可能にする、という水供給手段が奏する作用効果を有効に発揮できるのである。また、上記実施形態ではタンク２にたとえば過熱防止手段や圧力逃し弁３３等を個別に備えたものを他例として列挙したが、説明の便宜上のことであり、たとえば過熱防止手段や圧力逃し弁３３等を同時にタンク２に設けたり等、これら他例の技術(構成)を組み合わせて効果を得ることも可能であるのは言うまでもない。
【図面の簡単な説明】
【００３２】
【図１】本発明の実施の形態の例であり、（ａ）は静電霧化装置の斜視図（（ｂ）のＦ部分を抜粋した図）であり、（ｂ）は静電霧化装置を搭載したヘアーセッターの一部切欠斜視図であり、（ｃ）は霧化ユニットの断面図である。
【図２】同上のヘアーセッターの斜視図である。
【図３】同上のヘアーセッターの分解斜視図である。
【図４】同上のヘアーセッターの分解斜視図である。
【図５】（ａ）はヘアーセッターの主体ブロック側からの平面図であり、（ｂ）はヘアーセッターの押えブロック側からの平面図である。
【図６】図５（ａ）のＢ−Ｂ線断面図である。
【図７】（ａ）は同上のヘアーセッターの使用形態を示す説明図であり、（ｂ）は同上のヘアーセッターを洗面化粧台に載置形態の例の説明図であり、（ｃ）は同上のヘアーセッターを洗面化粧台に載置形態の他例の説明図である。
【図８】同上の静電霧化装置のタンクであり、（ａ）は側面図であり、（ｂ）は上面図（天面側から見た平面図）であり、（ｃ）は下面図（底面側から見た平面図）であり、（ｄ）は（ｂ）のＣ−Ｃ線断面図である。
【図９】同上の空気透過膜の作用を説明するグラフである。
【図１０】（ａ）（ｂ）はそれぞれ実施の形態の他例のタンクの下面図である。
【図１１】実施の形態の他例のヘアーセッターの側断面図である。
【図１２】実施の形態の他例のタンクであり、（ａ）は底面側から見た斜視図であり、（ｂ）は下面図であり、（ｃ）は（ｂ）のＤ−Ｄ線断面図である。
【図１３】実施の形態の他例のタンクであり、（ａ）は正面図であり、（ｂ）は側面図である。
【図１４】実施の形態の他例のタンクの側断面図である。
【図１５】同上の例の圧力逃し弁の作用を説明するグラフである。
【図１６】実施の形態の他例の静電霧化装置であり、（ａ）は斜視図であり、（ｂ）は側断面図である。
【図１７】実施の形態の他例のタンクであり、（ａ）は側面図であり、（ｂ）は（ａ）のＥ−Ｅ線断面図であり、（ｃ）は下面図であり、（ｄ）は差込管部をタンクケースから外して行うタンクへの水の補給を説明する断面図である。
【符号の説明】
【００３３】
１  静電霧化装置
２  タンク
３  放電電極
５  高電圧印加部
６  供給管
７  カバー体
８  霧化ユニット
９  タンク接続部
１０  ヘアーセッター
１５  加熱板
１８  タンク収納部
２６  空気透過膜
３０  断熱材
３１  凸条リブ
３２  放熱フィン
３３  圧力逃し弁
３４  タンク用加熱部
３５  空気溜まり部
【図１】
2008012484.tif 000003
【図２】
2008012484.tif 000004
【図３】
2008012484.tif 000005
【図４】
2008012484.tif 000006
【図５】
2008012484.tif 000007
【図６】
2008012484.tif 000008
【図７】
2008012484.tif 000009
【図８】
2008012484.tif 000010
【図９】
2008012484.tif 000011
【図１０】
2008012484.tif 000012
【図１１】
2008012484.tif 000013
【図１２】
2008012484.tif 000014
【図１３】
2008012484.tif 000015
【図１４】
2008012484.tif 000016
【図１５】
2008012484.tif 000017
【図１６】
2008012484.tif 000018
【図１７】
2008012484.tif 000019